(57)【要約】      （修正有）【課題】陳列方向に関係なく容易にラベルの文字を読み取ることができ、小売業者は文字の向きを考慮せずに、陳列棚に陳列することが可能となる包装容器を提供する。【解決手段】包装容器１００は、開口１５を有する矩形状のトレイ１と、トレイ１の前記開口１５を覆う包装２と、トレイ１の対向する辺を斜め方向に横断するように包装２に付けられた平行四辺形状のラベル３と、を備える。【選択図】図１
0003174176.tif 000002
【実用新案登録請求の範囲】
【請求項１】
開口を有する矩形状のトレイと、
前記トレイの前記開口を覆う包装と、
前記トレイの対向する辺を該辺に対して斜め方向に横断するように、前記包装に付けられた平行四辺形状のラベルと、を備える包装容器。
【請求項２】
前記トレイの長辺が、短辺の２倍以上の長さを有する、請求項１に記載の包装容器。
【請求項３】
前記ラベルには、前記ラベルの横断方向に直交する方向を上下方向とする文字が記載されている、請求項１又は２に記載の包装容器。 
【請求項４】
前記文字が、前記ラベルの横断方向に沿って複数並んで記載されている、請求項３に記載の包装容器。
【考案の詳細な説明】
【技術分野】
【０００１】
本考案は、包装容器に関し、特に、ラベルが付けられた包装容器に関する。
【背景技術】
【０００２】
従来、食品を収納する包装容器が知られている。この包装容器では、食品が収容されたトレイの開口がラップフィルムなどの包装で覆われて、包装上にラベルが付けられている。
【０００３】
たとえば、矩形状のラベルに賞味期限などの期日が表示されている（例えば、特許文献１参照）。
【０００４】
また、賞味期限以外にも、ラベルには、トレイに収容された食品に関する情報、たとえば、商品名や製造者などの文字が表示されている。このような包装容器が小売店の陳列棚の割り当てられたスペースに並べられる。消費者は、並べられた包装容器のラベルに基づいて商品を選択する。よって、商品の並べ方により消費者の購買意欲が左右され、商品の売り上げが変わってくる。このため、消費者に対してわかりやすくラベルが貼られることが必要である。
【先行技術文献】
【特許文献】
【０００５】
【特許文献１】特開２００１―１９４９９８号公報
【考案の概要】
【考案が解決しようとする課題】
【０００６】
従来技術の矩形状ラベルは、陳列前に、横向き又は縦向きで包装に貼り付けられている。しかし、陳列棚の大きさ、陳列棚に一緒に並べられる他の商品などの関係で、包装容器が陳列されるスペース形状が決められる。このため、たとえば、縦書きのラベルが貼られた包装容器に対して、陳列棚において横長の陳列スペースが割り当てられることがある。このような陳列スペースに包装容器が並べられると、消費者に対してラベルの文字が横向きの陳列方向になってしまう。このため、消費者はラベルの文字を容易に読み取ることができず、消費者はラベルから商品の内容物がわかりにくい。それゆえ、ラベルが消費者に対して購買意欲を働きかけることができない。
【０００７】
反対に、ラベルに記載された文字を消費者が読み易いようにすると、包装容器に対する文字の方向に応じて陳列棚における包装容器の陳列スペースを小売業者が決める必要がある。この陳列棚は面積が限られているため、このような作業は煩雑である。
【０００８】
本考案はこのような課題を解決するためになされたものであり、陳列方向に関係なく容易にラベルの文字を読み取ることができる。しかも、小売業者はラベルに記載された文字の向きを考慮して、包装容器の陳列スペースを割り当てる必要がなく、包装容器を限られた面積の陳列棚に陳列することが可能となる。このような包装容器を提供することを目的としている。
【課題を解決するための手段】
【０００９】
上記課題を解決するために、本考案に係る包装容器は、開口を有する矩形状のトレイと、前記トレイの前記開口を覆う包装と、前記トレイの対向する辺を該辺に対して斜め方向に横断するように、前記包装に付けられた平行四辺形状のラベルと、を備える。
【００１０】
この構成によれば、トレイの開口が包装で覆われ、包装上に平行四辺形状のラベルが付けられている。このラベルはトレイの対向する辺を該辺に対して斜め方向に横断するように配置されているため、ラベルがトレイに対して斜めに配置される。このため、包装容器が陳列棚に縦向きに配置されても横向きに配置されても、ラベルの文字は消費者に対して斜めになる。このため、消費者は、ラベルの文字を容易に読み、その内容を理解することができる。
【００１１】
さらに、このように消費者がラベルの文字を容易に読み取ることができるため、包装容器を陳列棚に陳列する際に、ラベルの文字の向きを考慮して、包装容器の陳列スペースを割り当てる必要がない。よって、包装容器の陳列スペースの自由度が増し、小売業者は包装容器を限られた面積の陳列棚に陳列しやすくなる。
【００１２】
包装容器では、前記トレイの長辺が、短辺の２倍以上の長さを有していてもよい。
【００１３】
この構成によれば、ラベルがトレイの長辺および短辺に対して斜めに配置される。このため、ラベルが帯状にトレイに巻かれているような印象となる。このような印象によって、消費者に対して高級感を与えることができる。
【００１４】
包装容器では、前記ラベルには、前記ラベルの横断方向に直交する方向を上下方向とする文字が記載されていてもよい。 
【００１５】
この構成によれば、ラベルの文字はトレイに対して斜めに記載される。このため、包装容器が陳列棚に縦向きに配置されても横向きに配置されても、ラベルの文字は消費者に対して斜めに示される。このため、消費者は、ラベルの文字を読み易い。
【００１６】
包装容器では、前記文字が、前記ラベルの横断方向に沿って複数並んで記載されていてもよい。
【００１７】
この構成によれば、複数の文字により、商品名や製造者などの内容物に関する情報がラベルに記される。消費者はこのようなラベルの情報により商品を一層容易に選ぶことができる。
【考案の効果】
【００１８】
本考案は、以上に説明したように構成され、陳列方向に関係なく容易にラベルの文字を読み取ることができる。しかも、小売業者はラベルに記載された文字の向きを考慮して、包装容器の陳列スペースを割り当てる必要がなく、包装容器を限られた面積の陳列棚に陳列することが可能となる。このような包装容器を提供することができるという効果を奏する。
【図面の簡単な説明】
【００１９】
【図１】本考案の実施の形態に係る包装容器を示す斜視図である。
【図２】図１の包装容器に内容物を収納した状態を示す斜視図である。
【図３】（ａ）は、図１の包装容器を縦向きに配置した状態を示し、（ｂ）は包装容器を横向きに配置した状態を示す平面図である。
【図４】（ａ）および（ｂ）は、本考案のその他の実施の形態に係る包装容器を示す平面図である。
【考案を実施するための形態】
【００２０】
以下、本考案の実施の形態を、図面を参照しながら説明する。なお、以下では全ての図を通じて同一又は相当する要素には同じ参照符号を付して、その重複する説明を省略する。
（実施の形態）
図１は、本考案の実施の形態に係る包装容器１００の構成を示す斜視図である。図２は、包装容器１００に食品などの内容物４が収容されている状態を示す斜視図である。
【００２１】
包装容器１００は、トレイ１、包装２およびラベル３を有する。食品などの内容物４がトレイ１の中に収容されている。
【００２２】
トレイ１は、樹脂で成形される。トレイ１は、樹脂のシートを金型などにより熱成形することにより形成される。この樹脂シートは、発泡樹脂であってもよい。また、樹脂シートは、複数の樹脂シートが積層されたものであってもよい。樹脂には、例えば、ポリスチレン樹脂、ポリプロピレン樹脂、ポリエチレンテレフタレート樹脂、ポリエチレン樹脂、ポリプロピレン樹脂、ポリビニルアルコール樹脂、ポリ塩化ビニリデン樹脂などが用いられる。
【００２３】
トレイ１は、平面視において長方形状を有し、長辺１１および短辺１２を含む。トレイ１の長辺１１は、たとえば、短辺１２の長さの２倍以上の長さである。トレイ１の大きさは、中に収容される食品の大きさに応じて決められる。
【００２４】
トレイ１の角は、図１（ａ）に示すように斜めに削除されてもよい。または、トレイ１の角は、丸く削除されてもよい。これにより、トレイ１を包む包装２がトレイ１の角により破れたりする恐れがない。
【００２５】
トレイ１は底１３および側壁１４を有し、開口１５が上面に設けられている。開口１５から底１３までの深さは、内容物４に応じて適宜設定される。
【００２６】
底１３は、長方形状や楕円形状などである。底１３には、１つまたは複数の段や突起などが設けられていてもよい。段や突起は、内容物４を収容する際の目安になったり、内容物４が滑らないようにしたり、トレイ１の強度を高めたりする。また、底１３には溝が形成されていてもよい。内容物４からドリップが発生する場合、溝にドリップが流れる。このため、ドリップを内容物４から分離することができ、内容物４の見栄えが損なわれない。
【００２７】
側壁１４は、底１３に対して直角に形成されるか、あるいは、底１３から開口１５に向かって広くなるテーパー形状を有する。ただし、側壁１４の形状は、これに、特に限定されない。側壁１４の上端にはフランジ１６が設けられる。
【００２８】
フランジ１６は、開口１５周縁から外側に張り出し、底１３と平行に設けられる。フランジ１６により、トレイ１の開口１５周縁が補強される。
【００２９】
包装２は、トレイ１の開口１５または全体を覆う。包装２には、たとえば、ラップフィルムや蓋が用いられる。包装２は、内容物４が見えるように透明でもよいし、着色されていてもよい。一定の形状を有する蓋が包装２として用いられる場合、フランジ１６または側壁１４の上部などに係止部が設けられる。係止部はたとえば溝などであって、この溝に蓋の端を引っ掛けることにより、蓋がトレイ１に着脱可能に固定される。
【００３０】
ラベル３が包装２上に設けられる。ラベル３は、表面に文字３３などが印刷され、かつ裏面に粘着剤が付いた紙やブラスチックフィルムなどであってもよいし、包装２の表面に印刷されたものであってもよい。ラベル３は、平行四辺形状であって、２組の対辺３１ａ、３１ｂ、３２ａ、３２ｂを有する。この平行四辺形の隣り合う辺同士の成す角θは、たとえば３０〜６０度であって、さらに４０〜５０度であることが好ましい。第１組の対辺３１ａ、３１ｂは、トレイ１の長辺１１に平行に配置される。第１組の対辺３１ａ、３１ｂの間の高さは、トレイ１の短辺１２の長さと同じまたはほぼ同じである。このため、ラベル３は、第１組の対辺３１ａ、３１ｂを該辺３１ａ、３１ｂに対して斜め方向に横断するように、トレイ１の長辺１１および短辺１２に対して斜めに配置される。
【００３１】
ラベル３には、ラベル３の横断方向に直交する方向を上下方向とする文字が記載されていている。文字３３が、ラベル３の横断方向に沿って複数並んで記載されている。文字３３は、内容物４に関する情報であって、たとえば、商品名、材料、賞味期限、製造者、製造場所、保存方法、商品の特徴などを表す。文字３３は、第２組の対辺３２ａ、３２ｂに対して、垂直に表示される。このため、文字３３は、トレイ１の長辺１１および短辺１２に対して斜めに示される。
【００３２】
以上のように構成された包装容器１００によれば、ラベル３が平行四辺形の形状を有することにより、ラベル３がトレイ１の対向する長辺１１を斜めに横断するように配置される。このため、ラベル３が帯状にトレイ１に巻かれているような印象となる。このような印象によって、消費者に対して高級感を与えることができる。
【００３３】
また、ラベル３の文字３３がトレイ１の長辺１１および短辺１２に対して斜めに表示される。また、文字３３は、ラベル３の横断方向に直交する方向を上下方向として記載されていている。これにより、包装容器１００が陳列棚に、図３（ａ）に示すように、横向きに配置されても、図３（ｂ）に示すように、縦向きに配置されても、ラベル３の文字３３は消費者に対して斜めになる。このため、消費者は、ラベル３の文字３３を容易に読み、その内容を理解することができる。
【００３４】
さらに、包装容器１００を陳列する際に、ラベル３の文字３３の向きを考慮して、包装容器１００の陳列スペースを割り当てる必要がない。よって、包装容器１００の陳列スペースの自由度が増し、小売業者は包装容器１００を限られた面積の陳列棚に陳列しやすくなる。
【００３５】
また、文字３３が、ラベル３の横断方向に沿って複数並んで記載されている。これらの複数の文字３３により、商品名や製造者などの内容物４に関する情報がラベル３に記される。消費者はこのようなラベル３の情報により商品を容易に選ぶことができる。
【００３６】
さらに、ラベル３はトレイ１の開口１５を斜めに覆うことから、開口１５の全体がラベル３により覆い隠されることはない。よって、ラベル３以外の部分から開口１５内の内容物４を消費者は見ることができる。
【００３７】
なお、上記実施の形態では、別々に形成されたトレイ１と包装２とが組み合わされたが、トレイ１と包装２とは一体成型されていてもよい。
【００３８】
また、上記実施の形態では、第１組の対辺３１ａ、３１ｂが、トレイ１の長辺１１に平行に配置された。ただし、図４（ａ）および図４（ｂ）に示すように、第１組の対辺３１ａ、３１ｂが、トレイ１の短辺１２に平行に配置されてもよい。この場合、このため、ラベル３は、第２組の対辺３２ａ、３２ｂを横断するように、トレイ１の長辺１１および短辺１２に対して斜めに配置される。
【００３９】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４０】
本考案の包装容器１００は、ラベル３の文字３３の向きを考慮して、包装容器１００の陳列スペースを割り当てる必要がなく、よって、包装容器１００の陳列スペースの自由度が増し、小売業者は包装容器１００を限られた面積の陳列棚に陳列しやすくなるという点において、有用である。
【符号の説明】
【００４１】
１  トレイ
２  包装
３  ラベル
１１  長辺
１２  短辺
１５  開口
１００  包装容器
【図１】
0003174176.tif 000003
【図２】
0003174176.tif 000004
【図３】
0003174176.tif 000005
【図４】
0003174176.tif 000006